(57)【要約】【課題】ブラシ片の腰の強さを確保することができると共に、製造コストを低減でき、洗浄効果を増すことができる洗車機用洗浄ブラシ及び洗車機を提供する。【解決手段】洗車機用洗浄ブラシ３０は、ブラシ部材２０、２１で形成されたブラシ片２と、回転軸１とを有すると共に、前記ブラシ片２の少なくとも１つは前記回転軸１の外周部に形成されてあると共に、少なくとも２種類以上のブラシ部材２０、２１で覆い囲われた中空部１１を有するブラシ片２で構成されてあるものである。【選択図】      図１
2008073064.tif 000002
【特許請求の範囲】
【請求項１】
自動車或いは車両の外面の被洗浄面に付着した汚れ等を洗浄する為の洗車機に使用する洗車機用洗浄ブラシにおいて、該洗車機用洗浄ブラシは、ブラシ部材で形成されたブラシ片と、回転軸とを有すると共に、前記ブラシ片の少なくとも１つは前記回転軸の外周部に形成されてあると共に、少なくとも２種類以上のブラシ部材で覆い囲われた中空部を有するブラシ片で構成されてあることを特徴とする洗車機用洗浄ブラシ。
【請求項２】
回転軸が一方向に回転する時、ブラシ片を構成する一つのブラシ部材が被洗浄面に当接すると共に、前記回転軸が反対方向に回転する時、前記ブラシ片を構成する他のブラシ部材が被洗浄面に当接するように前記ブラシ片を構成したことを特徴とする請求項１に記載の洗車機用洗浄ブラシ。
【請求項３】
ブラシ片を構成する一つのブラシ部材が被洗浄面に当接し、他のブラシ部材は当接しない位置に形成されてあることを特徴とする請求項１又は２に記載の洗車機用洗浄ブラシ。
【請求項４】
ブラシ片を構成する少なくとも根元部側のブラシ部材は穴部を有することを特徴とする請求項１から３のいずれか１項に記載の洗車機用洗浄ブラシ。
【請求項５】
被洗浄面に当接するブラシ部材に起毛部が形成されてあることを特徴とする請求項１から４のいずれか１項に記載の洗車機用洗浄ブラシ。
【請求項６】
駆動源と、被洗浄面に散布する洗浄剤及び洗浄水を噴出させるノズルと、洗浄後の被洗浄面を乾燥させる乾燥手段とを備えると共に、請求項１から５のいずれか１項に記載の洗車機用洗浄ブラシを搭載した洗車機。
【発明の詳細な説明】
【技術分野】
【０００１】
本発明は、ガソリンスタンド等に設置される洗車機と、この洗車機に使用される洗車機用洗浄ブラシに関するものである。
【背景技術】
【０００２】
従来の洗車機用洗浄ブラシにおいて、洗浄効果を高める発明は様々なものがある。例えば、洗浄部材と取付部材とで構成された布ブラシにおいて、洗浄部材を不織布で作られた細長袋と合成樹脂で作られた補強シートとで構成され、補強シートは細長袋内に先端部を没して配置されたものがある（特許文献１）。
また、合成樹脂発泡体からなるブロックをスライスして複数のシート状洗浄体を形成し、このシート状洗浄体を複数のスリットによって細分化した後、回転体の軸に対して傾斜するように配置したものがある（特許文献２）。
【０００３】
【特許文献１】特開２０００−７１９４９号公報
【特許文献２】特開２００２−３１６６２２号公報
【発明の開示】
【発明が解決しようとする課題】
【０００４】
上記従来の特許文献１に記載された技術では不織布を細長の袋状に縫製する必要があり、コスト高となる。また、特許文献２に記載された技術では、シート状洗浄体にスリットを形成したり、シート状洗浄体を回転体の軸に対して傾斜するように配置する製造工程を経なければならず、製造コストのわりには洗浄効果が向上するものではなかった。
【０００５】
本発明は上記点に鑑み、ブラシ片の腰の強さを確保することができると共に、製造コストを低減でき、洗浄効果を増すことができる洗車機用洗浄ブラシ及び洗車機を提供することを目的とする。
【課題を解決するための手段】
【０００６】
請求項１の発明は、自動車或いは車両の外面の被洗浄面に付着した汚れ等を洗浄する為の洗車機に使用する洗車機用洗浄ブラシにおいて、該洗車機用洗浄ブラシは、ブラシ部材で形成されたブラシ片と、回転軸とを有すると共に、前記ブラシ片の少なくとも１つは前記回転軸の外周部に形成されてあると共に、少なくとも２種類以上のブラシ部材で覆い囲われた中空部を有するブラシ片で構成されてあることに特徴を有する。したがって、中空部を有することで、洗浄に寄与しない部分にコストをかけないですむことから、コスト低減を図ることができる。また、ブラシ片に２種類以上のブラシ部材を使用することで、毛腰を強くしたり、洗浄効果を向上させたりすることができる。
【０００７】
請求項２の発明は、請求項１の洗車機用洗浄ブラシの発明において、回転軸が一方向に回転する時、ブラシ片を構成する一つのブラシ部材が被洗浄面に当接すると共に、前記回転軸が反対方向に回転する時、前記ブラシ片を構成する他のブラシ部材が被洗浄面に当接するように前記ブラシ片を構成したことに特徴を有する。したがって、回転軸の回転方向を変えることで、ブラシ部材の種類を変えることができるから洗浄効果を向上させることができる。
【０００８】
請求項３の発明は、請求項１又は２の洗車機用洗浄ブラシの発明において、ブラシ片を構成する一つのブラシ部材が被洗浄面に当接し、他のブラシ部材は当接しない位置に形成されてあることに特徴を有する。したがって、被洗浄面に当接するブラシ部材は洗浄効果を向上させるものを使用し、被洗浄面に当接しないブラシ部材は毛腰が強いものを使用することができるので、さらに洗浄効果を向上させることができる。
【０００９】
請求項４の発明は、請求項１から３のいずれか１項の洗車機用洗浄ブラシの発明において、ブラシ片を構成する少なくとも根元部側のブラシ部材は穴部を有することに特徴を有する。したがって、穴部によって中空部に溜まった水分を取り除くことができる。
【００１０】
請求項５の発明は、請求項１から４のいずれか１項の洗車機用洗浄ブラシの発明において、被洗浄面に当接するブラシ部材に起毛部が形成されてあることに特徴を有する。したがって、起毛部によってさらに洗浄効果を向上させることができる。
【００１１】
請求項６の発明は、駆動源と、被洗浄面に散布する洗浄剤及び洗浄水を噴出させるノズルと、洗浄後の被洗浄面を乾燥させる乾燥手段とを備えると共に、請求項１から５のいずれか１項に記載の洗車機用洗浄ブラシを搭載した洗車機であることに特徴を有する。したがって、毛腰が強く、洗浄効果を向上させることができる洗浄ブラシを搭載した洗車機であり、洗車機のコストを低減することもできる。
【発明の効果】
【００１２】
請求項１の発明では、少なくとも２種類以上のブラシ部材で覆い囲われた中空部を有するブラシ片で構成したことによって、コスト低減と洗浄効果の向上を図ることができ、請求項２の発明では、回転軸の回転方向によって被洗浄面に当接するブラシ部材を変えたことによって、洗浄効果を向上させることができ、請求項３の発明では、被洗浄面に当接しない部分のブラシ部材を毛腰の強いものとすることができ、請求項４の発明では、ブラシ部材の根元部に穴部を設けることによって、中空部に溜まる水分を抜くことができ、請求項５の発明では、起毛部によって洗浄効果を向上させることができる。
【００１３】
また、請求項６の発明では、請求項１から５のいずれか１項の洗車機用洗浄ブラシを搭載した洗車機としたので、毛腰が強く、洗浄効果も増し、コスト高とならない洗車機を提供できる。
【発明を実施するための最良の形態】
【００１４】
次に、本発明の実施形態を図面に基づいて説明する。図１は本発明の第１実施形態の洗浄ブラシ片を有する洗浄ブラシを示す図である。図１（ａ）は斜視図、図１（ｂ）は正面図である。洗車機用洗浄ブラシ３０は、ブラシ部材２０とブラシ部材２１とで形成された４つのブラシ片２と、回転軸１とを有するものである。そして、ブラシ片２は回転軸１の外周部にブラシ部材２０とブラシ部材２１とで覆い囲われた中空部１１を有している。ブラシ片２と回転軸１の接合は止め金具３が回転軸１に設置され、止め板４がブラシ片２に設置された後、リベット５によって固定されている。
尚、ブラシ片２への固定方法は、上記以外にも止め金具３及び止め板４を使用する事なく、リベット５にてブラシ片２を回転軸１に固定する方法も採用できる。
また、ブラシ部材２０とブラシ部材２１との接合は自由端部側の中央で縫い糸２２で縫い合わされている。ここで、ブラシ片２は、織布、不織布、編物等の布帛、合成樹脂発泡体、フィルム状樹脂組成物、軟質ゴム材、人工皮革、合成皮革等を使用目的に応じて設定できる。
尚、図１（ｃ）に示すように、洗車機用洗浄ブラシ３０ａは回転軸１にＶ字型のブラシ片２ａを設置してもよく、少なくとも１つのブラシ片２が中空部１１を有していて、２種類以上のブラシ部材２０、２１を有するものであれば本発明の請求項１に含まれるものである。
また、上述の第１実施形態では、例えば、回転軸１が時計周りに回転する場合にはブラシ部材２０が被洗浄面に当接し、回転軸１が反時計周りに回転する場合にはブラシ部材２１が被洗浄面に当接するように洗車機に設置することができるので、回転方向を変えることによって洗浄効果を変えることができる。
【００１５】
図２は本発明の第２実施形態のブラシ片２ｂを示す斜視図である。このブラシ片２ｂには回転軸に設置した場合に被洗浄面に当接する側をブラシ部材２０ａとし、被洗浄面に当接しない側をブラシ部材２１ａとしている。そして、ブラシ部材２０ａとブラシ部材２１ａとは縫い糸２２で接合されている。この実施形態ではブラシ部材２０ａに洗浄効果のある材質を使用し、ブラシ部材２１ａに毛腰の強い材質を使用することで、コスト低減を図ることができると共に、長時間使用した場合にへたれるのを防ぐことができる。
【００１６】
図３は、本発明の第３実施形態のブラシ片２ｃを示す斜視図である。このブラシ片２ｃには根元部側のブラシ部材２１ａに複数の穴部７、７が形成されている。この穴部７は洗浄時に中空部１１内に溜まった水分を抜く役割を果たすものである。尚、穴部７は、根元部側のブラシ部材２１ａに形成するのが好ましいが、被洗浄面に当接しない位置であれば、ブラシ部材２０ａに形成することもできる。
【００１７】
図４は本発明の第４実施形態のブラシ片２ｄを示す斜視図である。このブラシ片２ｄにはブラシ部材２０ａの上に起毛部１０が形成されているものである。この起毛部１０が被洗浄面に当接することによって、洗浄効果をさらに向上させることができるのである。
【００１８】
次に、図５は本発明の洗車機用洗浄ブラシを搭載した洗車機の正面図である。洗車機６７は、図５のように、本発明の洗車機用洗浄ブラシ６６が搭載されており、この洗車機用洗浄ブラシ６６は駆動源６８より回転される。ノズル６９からは、被洗浄面に対して洗浄剤及び水が散布され、洗車機用洗浄ブラシ６６により、洗浄され、洗浄後は洗車機６７の乾燥手段である乾燥機９０により被洗浄面が乾燥される。
【００１９】
洗車機６７は、被洗浄面に傷を付けること無く、高い洗浄性を有すると共に、洗浄時の接触音を極力低減、或いは抑制でき、腰の強いブラシ片を有する洗車機用洗浄ブラシ６６が搭載されているので、被洗浄面に対して傷を付着させること無く、毛腰を強く当接させることができる。その為、洗車機６７は、洗車機用洗浄ブラシ６６を高速回転に設定すると共に、洗浄時間を短時間に設定した場合においても、被洗浄面に傷が付着すること無く、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けることが無いと共に、洗浄時の接触音を極力低減、或いは抑制できる非常に高い洗浄性が発揮できる洗車機６７を提供することができる。
【００２０】
尚、本発明の趣旨を逸脱しない範囲において、種々の実施形態をとることができることは言うまでもない。
【産業上の利用可能性】
【００２１】
本発明の洗車機用洗浄ブラシ及び洗車機は主に、自動車或いは車両の外面の被洗浄面に付着した汚れ等を洗浄する為の洗車機、及び洗車機に搭載される洗車機用洗浄ブラシとして使用する。
【図面の簡単な説明】
【００２２】
【図１】本発明の第１実施形態を示す説明図
【図２】本発明の第２実施形態を示す説明図
【図３】本発明の第３実施形態を示す説明図
【図４】本発明の第４実施形態を示す説明図
【図５】本発明の洗車機用洗浄ブラシを搭載した洗車機の正面図
【符号の説明】
【００２３】
１  回転軸
２  ブラシ片
３  止め金具
４  止め板
５  リベット
７  穴部
２０  ブラシ部材
３０、６６  洗車機用洗浄ブラシ
６７  洗車機
６８  駆動源
６９  ノズル
９０  乾燥機
【図１】
2008073064.tif 000003
【図２】
2008073064.tif 000004
【図３】
2008073064.tif 000005
【図４】
2008073064.tif 000006
【図５】
2008073064.tif 000007